(57)【要約】使用者が任意に熱さを調節することができると共に、台座を再利用することができる灸治療具を提供する。灸治療具１は、台座２、針金３、及びもぐさ塊４とからなる。針金３のもぐさ装着部３ｃには表面に凹凸が設けられている。もぐさ塊４に点火して灸治療を行う際には、もぐさ装着部３ｃの表面に設けられた凹凸によって、もぐさ塊４を任意の位置に止めることができるため、温熱効果の調節を自由に行うことができる。また、また、針金３のもぐさ装着部３ｃと連結部３ｂとの境界には屈曲部３ｄが設けられているため、もぐさ塊４が最も使用者の皮膚に接近した場合であっても連結部３ｂの高さに止まるため、使用者が熱すぎると感じたりやけどをしたりすることがない。また、灸治療が終了しても、台座２と針金３は燃えないため、この台座２と針金３とを再利用することができる。
2004050006.tif 000002
【特許請求の範囲】
【請求項１】
人体の皮膚に貼着される台座と、前記台座の表面側に支持部材を介して固定されるもぐさ塊とを備えた灸治療具であって、
前記台座は、その表裏を貫通する貫通孔と、皮膚側に設けられた粘着部とを有し、
前記支持部材は耐熱性の線材により形成され、前記台座に固定される固定部と、前記貫通孔の略軸心に沿って延設されるもぐさ装着部と、前記固定部と前記もぐさ装着部とを一連に連結する連結部とを有し、
前記もぐさ装着部は、その表面に前記もぐさ塊が刺された際にもぐさ塊に係合する凹凸が設けられていることを特徴とする灸治療具。
【請求項２】
前記線材の連結部ともぐさ装着部との境界部に屈曲部が設けられ、前記屈曲部により前記もぐさ塊の前記連結部への移動が阻止されることを特徴とする請求項１に記載の灸治療具。
【請求項３】
前記線材の固定部は、前記台座の貫通孔の周囲を囲む形状であることを特徴とする請求項１又は２に記載の灸治療具。
【発明の詳細な説明】
【技術分野】  本発明は、灸治療の内の間接灸に用いられ、点火したもぐさの熱を人体のつぼに間接的に作用させる治療具に関する。
【背景技術】  灸治療具は東洋医学の治療法に用いられるものである。灸治療とは、もぐさなどを皮膚の上に置き、これに火を付けて徐々に燃焼させ、その熱によって人体に温熱刺激を与え、血液の循環をよくしたり、皮膚に軽いやけどを起こさせて行う治療である。このような処置を行うことで、処置箇所に異質蛋白体を作り、白血球や赤血球を増加させたり、その他の血液像に変化を起こさせることによって病気の治療を行う。
灸治療には、針を人体のつぼに刺した状態で針に付けたもぐさに点火して治療するものや、もぐさを皮膚の上に直接置いて点火する直接灸、もぐさと皮膚の間にボール紙等の台座を介在させて点火する間接灸等がある。
この中で、針を用いた方法は針を人体のつぼに刺す必要があるため専門の治療院でなければ治療を行うことが難しい。また、直接灸は、もぐさを直接皮膚の上に置いて点火するため、被治療者にやけどをさせないようにするために注意が必要である。一方、間接灸は、もぐさと皮膚の間に台座が介在するため、直接灸よりはやけどの危険性が少ない。このため、一般家庭においては、針を用いた方法や直接灸による治療よりも間接灸による治療が多く望まれている。
従来の間接灸のための灸治療具１１としては、図４に示すように、ボール紙を１５ｍｍ程度の大きさに打ち抜いた台座１２の上に円柱状のもぐさ塊１３を固定したものが知られている（特公平７−３８８７２号参照）。このような従来の灸治療具１１は、もぐさ塊１３を直接皮膚に置かないため、やけどの危険性が少なくなっている。しかし、台座１２ともぐさ塊１３が密着しているため、もぐさ塊１３に点火し、その火が台座１２に近づいていくと、その熱が台座１２を介して皮膚に伝わるため、熱すぎたりやけどをしたりするおそれがある。このように、従来の灸治療具は、もぐさ塊１３の燃え方によって熱さが決まるため、使用者の好みの温度に調節することができなかった。また、もぐさ塊１３が台座１２に接着されているため、もぐさ塊１３を燃やすと台座１２ごと捨てることになり、不経済であった。
本発明は、灸治療具の改良を目的とし、さらに詳しくは前記不都合を解消するために、使用者が任意に熱さを調節することができる灸治療具を提供することを目的とする。また、本発明の他の目的は、台座を再利用することができる灸治療具を提供することである。
【発明の開示】
前記目的を達成するために、本発明の灸治療具は、人体の皮膚に貼着される台座と、前記台座の表面側に支持部材を介して固定されるもぐさ塊とを備えた灸治療具である。前記台座は、その表裏を貫通する貫通孔と、皮膚側に設けられた粘着部とを有している。前記支持部材は耐熱性の線材により形成され、前記台座に固定される固定部と、前記貫通孔の略軸心に沿って延設されるもぐさ装着部と、前記固定部と前記もぐさ装着部とを一連に連結する連結部とを有している。そして、前記もぐさ装着部は、その表面に前記もぐさ塊が刺された際にもぐさ塊に係合する凹凸が設けられていることを特徴とする。
本発明の灸治療具は、前記線材のもぐさ装着部が前記台座の貫通孔の略軸心に沿って設けられているため、灸治療の際には前記もぐさ塊の燃焼による温熱を前記貫通孔を介して効率よくつぼに作用させることができる。また、前記線材のもぐさ装着部に凹凸が設けられているため、もぐさ塊を前記もぐさ装着部に刺したときは、前記凹凸によってもぐさ塊を任意の位置に止めることができる。従って、使用者がもぐさ塊に点火して灸治療を開始した際に、使用者が熱く感じたときはもぐさ塊を台座から離す方向に移動すればよく、温度が低いと感じたときはもぐさ塊を台座に近づける方向に移動すればよい。このように前記もぐさ装着部においてもぐさ塊の位置を任意に変更することができるため、灸治療時に使用者が任意に熱さに調節することができる。
また、本発明の灸治療具においては、前記線材の連結部ともぐさ装着部との境界部に屈曲部が設けられ、前記屈曲部により前記もぐさ塊の前記連結部への移動が阻止されることが好ましい。前記線材をこのように形成することにより、点火されたもぐさ塊が前記台座に最も接近した場合であっても、前記屈曲部から前記連結部には移動しない。従って、前記連結部によってもぐさ塊と台座との距離が保たれるので、使用者が熱すぎると感じたりやけどをしたりすることがない。また、前記線材を屈曲するだけでよいので、別個にストッパー等の部材を設ける必要がないため、前記もぐさ塊の移動を阻止するための構成を簡易なものとすることができる。
また、前記線材は耐熱性を有しており、前記もぐさ塊と前記台座とは前記連結部によって離されているため、もぐさ塊を燃やしても前記台座及び線材は前記もぐさ塊の熱によって焼損することがない。従って、新たなもぐさ塊を前記もぐさ装着部に装着することにより、前記台座と前記線材を再度使用することができる。
また、本発明の灸治療具においては、前記線材の固定部は、前記台座の貫通孔の周囲を囲む形状であることが好ましい。もぐさ塊に点火されると、その熱は前記線材のもぐさ装着部及び連結部を介して前記固定部に伝達され、前記固定部から前記台座を介して皮膚に伝達する。前記固定部は、前記台座の貫通孔の周囲を囲んでいるため、前記固定部から伝達される熱は前記貫通孔の周囲に分散される。従って、前記線材に熱伝導率の低い素材を用いたときは、前記台座を介して皮膚に伝達される熱は弱いものとなり、前記貫通孔に集中してもぐさ塊の温熱を作用させることができる。これにより、つぼに集中的に温熱を作用させたい治療に好適なものとなる。逆に、前記線材に熱伝導率の高い素材を用いたときは、前記台座を介して皮膚に多くの熱が伝達されるため、つぼのみならずその周囲にももぐさ塊の温熱を作用させることができる。これにより、つぼ及びその周囲にもぐさ塊の温熱を作用させたい治療に好適なものとなる。
【図面の簡単な説明】  図１は本発明の灸治療具の実施形態の一例を示す説明図、図２は本実施形態の灸治療具の説明的分解図、図３（ａ）及び（ｂ）は本実施形態の灸治療具の使用状態を示す説明図、図４は従来の灸治療具を示す説明図である。
【発明を実施するための最良の形態】  次に、本発明の灸治療具の実施形態の一例について、図１乃至図３を参照して説明する。本実施形態の灸治療具１は、図１に示すように、台座２、支持部材である針金（線材）３、及びもぐさ塊４とからなる。
台座２は、ボール紙によって作られており、その表裏を貫通する貫通孔５によってドーナツ状となっている。また、台座２は、人体の皮膚に貼着される側の台座片２ａと、表面側の台座片２ｂとからなる。台座片２ａの裏面側には、図２に示すように粘着部６が設けられ、その表面を剥離紙７が覆っている。また、台座片２ｂの裏面側には、後述する針金３の固定部３ａが嵌合される溝８が設けられている。
針金３はステンレススチール製であり、図２に示すように、台座２に固定される固定部３ａと、固定部３ａから斜め上方に延びる連結部３ｂと、連結部３ｂから屈曲して上方に延びるもぐさ装着部３ｃとを有している。また、連結部３ｂともぐさ装着部３ｃとの連結部分は屈曲された屈曲部３ｄとなっている。もぐさ装着部３ｃは、その表面に細かい溝を設けることにより表面に凹凸がつけられている。連結部３ｂは、針金３が台座２に固定されたときに、図１に示すように、もぐさ装着部３ｃの軸線方向が貫通孔５の略軸心に沿うように固定部３ａから斜めに屈曲されている。
台座２と針金３とは、次のようにして組み立てられる。まず、台座片２ｂの溝８に小さな孔をあけ、そこに針金３のもぐさ装着部３ｃ及び連結部３ｂを通す。そして、台座片２ｂの溝８に固定部３ａをはめ込む。この状態で、台座片２ｂの裏面と台座片２ａの表面とを接着剤により張り合わせ、台座片２ａと台座片２ｂとの間に針金３の固定部３ａを固定する。本実施形態においては、溝８を設けることにより、台座片２ａ及び台座片２ｂにより針金３の固定部３ａを挟んだ際にこれらの台座片が盛り上がらないようにしている。この溝８は、台座片２ａ側に設けてもよく、両側の台座片に設けてもよい。
尚、もぐさ塊４は、原料となるもぐさを紙により巻いたものであり、一般に広く用いられているものを使用している。
次に、本実施形態の灸治療具１の使用方法を、図３（ａ）及び（ｂ）を参照して説明する。まず、使用者は、台座２の裏面に設けられた剥離紙７を剥がし、粘着部６を表面に露出させる。そして、台座２の貫通孔５が治療を行いたい箇所（つぼ）にくるように、台座２を人体の皮膚（図示せず）に貼り付ける。そして、図３（ａ）や図３（ｂ）に示すように、針金３のもぐさ装着部３ｃにもぐさ塊４を突き刺して所望の位置に移動させる。針金３のもぐさ装着部３ｃには、表面に凹凸が設けられているので、もぐさ塊４はもぐさ装着部３ｃの任意の位置に止めることができる。
次に、もぐさ塊４に点火をして灸治療を行う。もぐさ塊４に点火されると、もぐさ塊４は徐々に燃えていく。このもぐさ塊４の燃焼による温熱は台座２の貫通孔５を介して人体のつぼに作用する。本実施形態では、台座２がボール紙により作られているので、台座２の部分が断熱され、貫通孔５の部分にもぐさ塊４の温熱が集中するので、効率よくつぼを刺激することができる。
この灸治療の際、使用者が熱いと感じたときは、図３（ａ）のようにもぐさ塊４を皮膚から遠ざければよい。逆に、灸治療の際に使用者が熱さが足りないと感じたときは、図３（ｂ）のようにもぐさ塊４を皮膚に近づければよい。このように、本実施形態の灸治療具１によれば、使用者がもぐさ塊４の位置を任意に変えることができるので、灸治療の際の温熱効果の調節を容易に行うことができる。これにより、やけどの跡を付けることなく灸治療を行うことができる。また、もぐさ塊４の温熱を柔らかくつぼに作用させることもできるため、もぐさの香りと煙の効果により、リラックス効果とアロマテラピー効果を得ることもできる。
また、もぐさ装着部３ｃと連結部３ｂとの境界には屈曲部３ｄが設けられているため、もぐさ塊４を皮膚側に最も接近させた場合であっても、もぐさ塊４は連結部３ｂまでは移動しない。従って、もぐさ塊４は使用者の皮膚に近づきすぎることがないので、使用者が熱すぎたりやけどをしたりするおそれがない。
そして、灸治療が終了したときは、もぐさ塊４は燃え尽きるが、針金３及び台座２は燃えないため、再使用することが可能である。従って、続けて灸治療を行う場合でも、従来のように台座ごと張り替える必要がない。このように、本実施形態の灸治療具１は、針金３及び台座２を再利用することができるので、経済性の面でも優れている。
本実施形態においては、針金３の固定部３ａは、台座２の形状に沿って円形に形成されている。このため、もぐさ塊４の燃焼熱が針金３のもぐさ装着部３ｃ及び連結部３ｂを介して固定部３ａに伝達されても、台座２の特定の箇所のみが熱くなることがない。従って、針金３の素材として熱伝導率が高いものを使用したときは、台座２を介してつぼの周囲にも温熱効果を及ぼすことができる。逆に、針金３の素材として熱伝導率が低いものを使用することにより、つぼの部分のみに温熱効果を及ぼすことができる。
このように、本実施形態の灸治療具１によれば、針を刺すことなく誰でも気軽に灸治療を行うことができる。また、台座２の裏面に粘着部６が設けられているので身体の任意の部分に使用することができる。
尚、本実施形態の灸治療具１の各部材の寸法は以下の通りである。台座２は、外形が約２５ｍｍ、貫通孔５は直径が約１５ｍｍである。台座片２ａ及び台座片２ｂの厚さは、それぞれ約１ｍｍ程度である。針金３の連結部３ｂは、台座２の表面から約１０ｍｍ程度立ち上げたところで屈曲されてもぐさ装着部３ｃに連結されている。もぐさ装着部３ｃの長さは約６０ｍｍである。
上記実施形態においては、台座２の外形と貫通孔５とを円形にしているが、これに限らず、楕円形にしてもよく、四角形や星形等の多角形等、任意の形状とすることができる。また、台座２や針金３の寸法も上記寸法には限られず、治療の種類に合わせて適宜変更することができる。
また、上記実施形態では、台座２の素材としてボール紙を用いているが、適度の断熱性と強度を有するものであれば、木や合成樹脂等の他の部材を使用してもよい。また、上記実施形態では、支持部材である線材にステンレススチール製の針金を用いているが、これに限らず、耐熱性を有する素材であれば他の素材を用いてもよい。
【図１】
2004050006.tif 000003
【図２】
2004050006.tif 000004
2004050006.tif 000005
【図４】
2004050006.tif 000006
【国際調査報告】
2004050006.tif 000007
2004050006.tif 000008
2004050006.tif 000009